(57)【要約】  安全要素(１００、１０１、１０２)を備えた有価文書（２０１、２０２）に関し、少なくとも１つの刻印された屈折構造（３）を備えた第一のポリマー層（２）と、前記屈折構造（３）と光学的に相互作用する少なくとも１つの反射層（４）と、第一の視覚的に認識可能な安全特徴として形成される反射ホログラム（５）と、紫外線光の下で視覚的に認識可能な第二の安全特徴を形成する、紫外線下でルミネセンスを発する少なくとも１つの印刷文字（６）とを備えた、ストリップの形の安全要素であり、反射ホログラム（５）が少なくとも１つの透明範囲（８）に第二の安全特徴を備えている。安全要素の偽造安全性を高めるために、ルミネセンスを発する印刷文字（６）が網版印刷画（６０）を備え、及び透明範囲（８）が反射層（４）の少なくとも１つの空白部（７）によって、及び空白部（７）のこの範囲に、少なくとも印刷文字（６）の網版印刷画（６０）の上に屈折構造（３）のないポリマー層（２）が形成されることが提案される。
2020506816.tif 000002
【特許請求の範囲】
【請求項１】
少なくとも１つの刻印された屈折構造（３）を備えた第一のポリマー層（２）と、前記屈折構造（３）と光学的に相互作用する少なくとも１つの反射層（４）と、第一に視覚的に認識可能な安全特徴として形成される反射ホログラム（５）と、紫外線光の下で、視覚的に認識可能な第二の安全特徴を形成する、紫外線下でルミネセンスを発する少なくとも１つの印刷文字（６）とを備えた、ストリップの形の安全要素であって、前記反射ホログラム（５）が少なくとも１つの透明範囲（８）を第二の安全特徴の上に備えている安全要素において、前記ルミネセンスを発する印刷文字（６）が網版印刷画（６０）を備え、及び前記透明範囲（８）が前記反射層（４）の少なくとも１つの空白部（７）によって、及び前記空白部（７）のこの範囲に、少なくとも前記印刷文字（６）の前記網版印刷画（６０）の上に、前記屈折構造（３）のないポリマー層（２）が形成されることを特徴とする、安全要素。
【請求項２】
請求項１に記載の安全要素であって、前記屈折構造（３）及び反射層（４）が見当内で互いに向き合って配置されていることを特徴とする、安全要素。
【請求項３】
請求項１又は２に記載の安全要素であって、前記空白部（７）及び前記網版印刷画（６０）が見当内で互いに向き合って配置されていることを特徴とする、安全要素。
【請求項４】
請求項１、２又は３に記載の安全要素であって、前記反射層（４）が前記網版印刷画（６０）の境界輪郭（１０）を部分的に覆っていることを特徴とする、安全要素。
【請求項５】
請求項１〜４のうちのいずれか一項に記載の安全要素であって、前記空白部（７）が、記号、模様又は符号の形で前記反射層（４）内に備えられていることを特徴とする、安全要素。
【請求項６】
請求項１〜５のうちのいずれか一項に記載の安全要素であって、前記反射ホログラム（５）がモチーフを備え、及び前記空白部（７）が前記反射ホログラム（５）のモチーフ部分を形成していることを特徴とする、安全要素。
【請求項７】
請求項１〜６のうちのいずれか一項に記載の安全要素であって、多色のルミネセンスを発する印刷文字（６）を形成するために、前記網版印刷画（６０）が異なった色の、特に赤、緑及び青の、ルミネセンスを発するラスター点（６１、６２、６３）を備えていることを特徴とする、安全要素。
【請求項８】
請求項７に記載の安全要素であって、前記網版印刷画（６０）がハニカムラスター（６４）を備え、その六角形のラスターセル（６５）が隣り合って配置された、特に三角形の互いに境を接して隣接したラスター点（６１、６２、６３）から構成されていることを特徴とする、安全要素。
【請求項９】
請求項７又は８に記載の安全要素であって、前記網版印刷画（６０）がサイズが１０〜５００μｍ、特に５０〜２００μｍであるラスターセル（６５）を備えていることを特徴とする、安全要素。
【請求項１０】
請求項１〜９のうちのいずれか一項に記載の安全要素であって、前記安全要素（１００、１０１、１０２）が透明なカバー層（１１）、特に接着剤層（１１）を備えていることを特徴とする、安全要素。
【請求項１１】
請求項１〜１０のうちのいずれか一項に記載の安全要素であって、前記安全要素（１００、１０１、１０２）が透明なカバーフィルム（１２）を備えていることを特徴とする、安全要素。
【請求項１２】
請求項１〜１１のうちのいずれか一項に記載の安全要素であって、前記安全要素（１００、１０１、１０２）が特に転写キャリアとして形成されたキャリアフィルム（１）を備えていることを特徴とする、安全要素。
【請求項１３】
基材（１３）と、少なくとも１つの前記基材（１３）に備えられた請求項１〜１２のうちのいずれか一項に記載の安全要素（１００、１０１、１０２）とを備えた有価文書。
【請求項１４】
請求項１３に記載の有価文書であって、前記ルミネセンスを発する印刷文字（６）が視覚的に前記基材（１３）の光学的外観に適合されることを特徴とする、有価文書。
【請求項１５】
請求項１３又は１４に記載の有価文書であって、前記安全要素（１００、１０１、１０２）が前記基材（１４、１５）に埋め込まれており、前記基材（１４、１５）が前記安全要素（１００、１０１、１０２）を見通すための少なくとも１つの窓（１６）を備えていることを特徴とする、有価文書。
【発明の詳細な説明】
【技術分野】
【０００１】
本発明は、少なくとも１つの刻印された屈折構造を備えた第一のポリマー層と、屈折構造と光学的に相互作用する少なくとも１つの反射層と、第一の、視覚的に認識可能な安全特徴として形成される反射ホログラムと、紫外線光の下で視覚的に認識可能な第二の安全特徴を形成する、紫外線下でルミネセンスを発する少なくとも１つの印刷文字とを備えた、ストリップの形の安全要素に関し、反射ホログラムは少なくとも１つの透明範囲を第二の安全特徴の上に備えている。
【背景技術】
【０００２】
反射ホログラムを第二の安全特徴で補完できるようにするため、従来技術（特許文献１）では安全要素が周知である。これは反射ホログラムにある部分的に透明な反射層により、紫外線の下でルミネセンスを発する印刷文字の光を通過させることが可能である。したがってこの反射ホログラムは、紫外線の下でルミネセンスを発する印刷文字の上に透明範囲を備えており、これが安全要素の偽造安全性を高める。しかし不都合なことに、両方の安全特徴、つまり反射ホログラムと印刷文字は、視覚的に、安全特徴の光学的分離可能性を妨げるため、偽造安全性を低減する。
【先行技術文献】
【特許文献】
【０００３】
【特許文献１】欧州特許出願公開第１２４１０２２号明細書
【発明の概要】
【発明が解決しようとする課題】
【０００４】
本発明の課題は、少なくとも２つの安全特徴を備えた安全要素の偽造安全性を高めることである。
【課題を解決するための手段】
【０００５】
本発明の課題は、ルミネセンスを発する印刷文字が網版印刷画を備え、及び透明範囲が反射層の少なくとも１つの空白部によって、及び空白部のこの範囲に、少なくとも印刷文字の網版印刷画の上に屈折構造のないポリマー層が形成されることによって解決される。
【０００６】
ルミネセンスを発する印刷文字が網版印刷画を備えている場合、まず、偽造安全性が極めて高い安全特徴を安全要素において作り出すことができる。しかし、この高められた安全性が、光学的な障害、例えばモアレ模様によって損なわれることがないよう、本発明はさらに、透明範囲が、反射層にある少なくとも１つの空白部によって形成され、及び空白部のこの範囲に、少なくとも印刷文字の網版印刷画の上に、屈折構造のないポリマー層が形成されることを提案する。これによって例えばルミネセンスを発する網版印刷画の等方性の蛍光放射線、つまり特に屈折によって左右される歪みに特に影響されやすい蛍光放射線が、反射ホログラムの透明範囲をほぼ損なわれず通過でき、それにより、第二の安全要素の視覚的効果の画像の不鮮明さを見込まなくてすむ。加えて、これにより両方の安全要素の視覚的混同が避けられ得る。この視覚的混同は２つの安全特徴の視覚的な識別可能性を損ないかねない。
【０００７】
さらに、この透明範囲によって、安全要素の２つの安全特徴の間の空間的な奥行き効果が強化され得、それによって安全要素の偽造安全性がさらに高められる。
【０００８】
一般的には、網版印刷画とは、ラスター点又は印刷点が隣接して又は上下に描かれ得る、印刷ラスターを備えた印刷された画像であると理解できる。色の混合及び／又は強度バリエーションによって画像効果が生じ得る。網版印刷画は、単色又は多色の画像として示され得る。
【０００９】
一般には、紫外線の下でルミネセンスを発する印刷文字のために、例えばルミネセンスを発する色素又は顔料を含む印刷用インキを使用できるとされている。このルミネセンスを発する色素及び／又は顔料は、例えば放射の影響下でエネルギーによって励起された状態にされ、その後で自発的に低エネルギー状態に移行し、その際に測定の波長のフォトンが放出され、これが相応する波長で人間の眼に知覚され得る。
【００１０】
さらには、一般に、ルミネセンスを発する印刷文字及び／又は網版印刷画は、一般的に行われている、例えば接触式又は非接触式の印刷方法で、例えばグラビア印刷、シルクスクリーン印刷、パッド印刷、オフセット印刷、石版印刷、フレキソ印刷、凸版印刷、又はインクジェット印刷などの方法で施すことができるとされている。
【００１１】
反射ホログラムと紫外線ルミネセンスを発する印刷文字との間の視覚的区別は、刻印された屈折構造が反射層の空白部で終わっている場合、さらに強化され得る。加えて、それにより透明範囲に対する視角に応じて、程度の差はあれ屈折構造に左右される視覚効果が生み出され得、それによって安全要素がさらなる安全特徴によって補完され得る。そのうえ、これによって空間的な奥行き効果がさらに強化され得る。安全特徴の偽造安全性は、これによってさらに改善され得る。
【００１２】
視角により左右される、ラスター印刷への光学的障害の危険は、屈折構造と反射層が見当内で互いに並んで配置されている場合、格段に低減され得る。
【００１３】
空白部と網版印刷画が見当内で互いに並んで配置されている場合、まず、印刷文字のモチーフ構成要素が反射ホログラムの反射層によって覆われてしまうことが回避され得る。さらに、印刷文字側から安全要素を観察した場合に、網版印刷画の視覚的印象が反射層によって影響されないままであることが達成され得る。そのうえ、ルミネセンスを発する網版印刷画が、白色光又は日光の下で、透明範囲にある他の範囲から視覚的に浮き上がることは、例えば透明範囲中の不透明性の差異をなくすことで、低減され得る。透明範囲では、これによりルミネセンスを発する印刷文字を白色光の下で観察する場合に、それと認識することがむつかしいか又は安定して安全要素内に隠されたままであることが可能である。このことで、安全要素の偽造安全性をさらに高め得る。
【００１４】
安全要素の設計上の構造は、反射層内の空白部がルミネセンスを発する印刷文字を少なくとも範囲ごとに覆う場合、簡易化できる。こうして例えば反射層は、印刷の辺縁を覆い、場合により安全要素で妨害的な周辺効果を網版印刷画で抑制できる。
【００１５】
空白部が記号、模様又は符号の形で反射層にある場合、偽造安全性はさらに高められる。特に例えばモチーフの空白部の外側輪郭がルミネセンスを発する印刷文字に適合され得る。
【００１６】
本発明は、反射ホログラムがモチーフを備え、空白部が反射ホログラムのモチーフ部分を形成している場合、特に優れている。例えば空白部はモチーフの逆転された輪郭に相当し、これがルミネセンスを発する印刷文字が紫外線照射されることで補完される。このことで、安全要素の偽造安全性をさらに高め得る。
【００１７】
一般に、空白部の外側の反射層の上の印刷文字は、反射ホログラム内にあり、それが望ましいとされる。そのような印刷文字は刻印されたポリマー層の側から観察してアクセスできない。印刷文字の側から観察した場合、これはしかし追加の安全特徴を形成する。
【００１８】
網版印刷画が色の異なるルミネセンスを発するラスター点を備えている場合、多色のルミネセンスを発する印刷文字が作り出せる。この多色のルミネセンスを発する印刷文字は、それどころか、赤、緑及び青のルミネセンスを発するラスター点が使用されている場合、トルーカラーに形成できる。
【００１９】
網版印刷画が、その六角形のラスターセルが隣同士に配置された三角形のラスター点から形成されているハニカムラスターを備えている場合、ルミネセンスを発する印刷文字で、特に偽造される恐れのない安全特徴を作り出すことができる。
【００２０】
網版印刷画が、サイズが１０〜５００μｍの、特に５０〜２００μｍのラスターセルを備えていることが好ましい。
【００２１】
安全要素が透明なカバー層を備えている場合、ルミネセンスを発する印刷文字は外部からの影響によっても不変であり得る。特に蛍光色素の酸化が防止できる。さらに、安全要素は反射ホログラムの物理的な損傷から、又は金属製反射層の酸化から保護され得る。このように、本発明により、特に堅牢で安定した安全要素が作り出され得る。
【００２２】
この透明なカバー層は、接着剤層である場合、安全要素は外部からの影響から保護され得、さらに取り扱いやすく有価文書に、又は任意のキャリアに備えられ得る。さらに、接着剤層が追加の透明カバー層の上に配設されることが考えられ得る。
【００２３】
接着剤層は特に熱融着塗膜、低温シール接着層、接着剤付きコーティング、放射硬化式コーティング又は他の同等のコーティングであってよい。
【００２４】
安全要素がキャリアフィルムを備え、それによって物理的安定性を高めることができる場合に、安全要素の扱いやすさは容易になる。
【００２５】
追加で使用される際に安全要素をさらに扱いやすくするために、好ましくは、キャリアフィルムが転写キャリアとして形成されていてよい。
【００２６】
本発明による安全要素は、有価文書が基材の上に配設され、材料結合で結合される場合、その利点を特に発揮できる。有価文書として例えば銀行券、納税印紙、旅券、運転免許証又は身分証明書などが考えられる。
【００２７】
一般に、基材は１つ又は複数の窓を安全要素を見通すために備えていてよく、それによって有価文書が極めて高い偽造安全性を作り出し得るとされている。
【００２８】
有価文書の偽造安全性は、ルミネセンスを発する印刷文字が視覚的に基材の光学的外観に適合される場合、さらに改善され得る。それによって例えば、基材とルミネセンスを発する印刷文字との間の、視覚的に認識可能な不透明性の差異を防止でき、そのことによって白色光の下で観察した場合に有価文書に安定して隠すことができる。
【００２９】
安全要素が透明なカバーフィルムを備えている場合、有価文書への埋め込みに適した、及び両側から観察して異なった視覚的に認識可能な安全特徴を備えている、堅牢な安全要素を作り出すことが可能である。
【００３０】
安全要素が有価文書の基材に埋め込まれ、その基材が安全要素を見通すために少なくとも１つの窓を備えている場合、特に偽造される恐れのない有価文書を作り出すことが可能である。埋め込まれた安全要素は、つまり特に基材の少なくとも１つの側から又は両側から観察することができ、及びその際に両側に窓がある場合、どちらの側も異なった視覚的認識が可能な安全特徴を備えていてよい。
【００３１】
一般に、有価文書の窓は、見当に正確に、安全特徴と共に安全要素に配置され得ることが確認されている。
【図面の簡単な説明】
【００３２】
図には、発明対象物の例として、実施態様を挙げて詳しく示している。
【図１】本発明による安全要素の一実施形態の横断面図である。
【図２】安全要素の別の一実施形態を備えた有価文書の横断面図である。
【図３】安全要素の別の第三の実施形態を備えた別の有価文書の横断面図である。
【図４】詳細図を備えた、本発明による安全要素の平面図である。
【発明を実施するための形態】
【００３３】
図１には、その上にポリマー層２が、特に重合された塗膜が備えられた、安全要素１００が示されている。ポリマー層２には屈折構造３が刻印されており、このポリマー層は屈折構造３がポリマー層２に備えられた反射層４との相互作用で反射ホログラム５を形成し、この反射ホログラムは安全要素１００の第一の安全特徴を形成している。さらに、紫外線光で照射するとルミネセンスを発する印刷文字６が付けられている。ここでは印刷文字６は特にルミネセンスを発する色素を含んでいる。印刷文字６の上には、反射層４内に空白部７が備えられている。
【００３４】
本発明により、安全要素１００には、透明範囲８が反射層４内の少なくとも１つの空白部７によって、及び空白部７のこの範囲に屈折構造３のないポリマー層２が形成されることによって、最高度の安全性が達成される。というのは、等方性の蛍光放射線を備えた網版印刷画６０を有する、ルミネセンスを発する印刷文字６が、これによってのみ歪みなく知覚され得ることが可能だからである。このために、空白部７は少なくとも印刷文字６の網版印刷画６０の上に備えられており、これは図４で確認できる。網版印刷画６０を無制限に観察することがこれによって保証される。安全要素１００はそれゆえに、キャリアフィルム１側からも印刷文字６側からも観察でき、それによって高い偽造安全性を備えた安全要素１００がもたらされる。
【００３５】
図１からはさらに、ポリマー層２に刻印された屈折構造３が反射層４の空白部７で終わっていることが見て取れる。透明範囲８内では、第一のポリマー層２内にさらに屈折構造３は備えられず、それによって印刷文字６は妨げられることなく観察され、又は変わることのない視覚的印象が、辺縁でも、与えられ得る。こうして、透明範囲８の屈折構造３とルミネセンスを発する印刷文字６との間で辺縁が視覚的に重なり合うことが阻止できる。加えて、印刷文字６は反射層５の見当内に透明範囲８又は空白部７を備えている。そのために、有利には屈折構造３と反射層４が同じく見当内に互いに向き合って配置されている。反射層４の境界輪郭９はしかしまた、網版印刷画６０の境界輪郭１０と軽く重なり合っている。網版印刷画６０はつまり最小限反射層４から出て屈折構造３の後ろに伸びている。これはルミネセンスを発する印刷文字６と反射ホログラム５との間の境界輪郭を鮮明にする。同様に、図２に示されるように、網版印刷画６０の境界輪郭１０が反射層４の境界輪郭によって覆われるのではなく、空白部７の範囲にあることが可能である。このように、網版印刷画６０の視覚的認識性を光学的に妨害することが防止できる。
【００３６】
特に図４でわかるように、網版印刷画６０は異なった色の、つまり赤、緑、青のルミネセンスを発するラスター点６１、６２、６３を備えている。それによってトルーカラーのルミネセンスを発する網版印刷画６０がもたらされる、加えて網版印刷画６０はハニカムラスター６４を備えており、その六角形のラスターセル６５は隣り合って配置される三角形のラスター点６１、６２、６３から構成されている。このラスターセル６５はサイズが１０〜５００μｍ、特に５０〜２００μｍである。
【００３７】
加えて、空白部７の境界輪郭９は、反射層４内で、記号、模様又は符号の形であってよい。空白部の境界輪郭９が反射ホログラム５によって生成されたモチーフであるか又はそれを補完する場合、特に有利であることが分かる。こうして例えば、異なった照明状況で異なったモチーフ部が認識され得る。
【００３８】
有利には、図１に示されたように、印刷文字６は透明なカバー層１１によって覆われている。カバー層１１はこの場合透明な保護ラッカー１１が施されてよく、又は接着剤層１１として、特に熱融着塗膜１１として機能してよい。透明な保護ラッカーも接着剤層もカバー層１１を形成することも考えられる。接着剤層１１の上には、図２及び図３に示されたように、有価文書２０１、２０２に本発明による安全要素１００、１０１、１０２が備えられていてよい。
【００３９】
加えて、安全要素１００、１０１、１０２の接着剤層１１には、例えば図３に示された安全要素１０２でわかるように、透明なカバーフィルム１２が配設されてよい。
【００４０】
別の一実施形態では、有利にはポリマー塗膜２がキャリアフィルム１に接着して配設されている。このようなキャリアフィルム１は、安全要素１００、１０１、１０２の製造プロセスを容易にすることができ、安定性も同様に改善できる。別法として、キャリアフィルム１又は転写キャリア１は、再びポリマー塗膜２から除去可能に備えられていてよい。
【００４１】
図２及び図３には有価文書２０１、２０２が示され、その際有価文書２０１、２０２上にはそれぞれ１つの安全要素１０１又は１０２が配設されている。有価文書２０１、２０２は、本発明によれば、特に銀行券、運転免許証、身分証明書、旅券又は同等の文書であってよい。
【００４２】
図２には有価文書２０１が示されており、ここでは配設された安全要素１０１からキャリアフィルム１（図１参照）が除去された。この接着剤層１１の上には安全要素１０１が有価文書２０１の基材１３に接着された。ルミネセンスを発する印刷文字６はこの場合、有価文書２０１の基材１３の視覚的に光学的外観に適合されている。
【００４３】
図３に示された有価文書２０２は安全要素１０２を備えており、その上に透明なカバーフィルム１２が配設された。この場合安全要素１０２は、上部基材１４と下部基材１５の間に埋め込まれている。上部基材１４も下部基材１５も窓１６を備えており、少なくとも部分的に直接安全要素１０２の安全特徴を見ることができる。安全要素１０２と有価文書２０２の基材１４、１５は、それぞれ１つの追加の接着剤層１７、特に熱融着塗膜が備えられ、これは同じく窓１６の範囲に適合されている。安全要素１０２のキャリアフィルム１及び透明なカバーフィルム１２は、さらに印刷可能に形成されていてよい。キャリアフィルム１及びカバーフィルム１２に、ルミネセンスを発する色素がある又は無い、それぞれ１つの印刷１８が備えられていることが考えられ得る。本発明の別の一実施形態では、基材１３、１４のうちのどちらか１つのみが窓１６を備えているが、このことは詳細には図示していない。
【００４４】
さらに、別の一実施形態では、単独の基材１３の上に配設された本発明による安全要素１００、１０１、１０２を備えた有価文書がもたらされ、この基材１３には安全要素１００、１０１、１０２を見通すために窓が備えられているが、このことは詳細には図示していない。このような安全要素はしたがって、２つの側から観察され得、それによって偽造安全性が高められる。
【図１】
2020506816.tif 000003
【図２】
2020506816.tif 000004
【図３】
2020506816.tif 000005
【図４】
2020506816.tif 000006
【国際調査報告】
2020506816.tif 000007
2020506816.tif 000008
2020506816.tif 000009
2020506816.tif 000010